(57)【要約】  【課題】  格納した電子文書を更新する場合において、所定の格納領域に格納した複写元の電子文書に対して、更新対象である複写先の電子文書への複写を要求することによって、電子文書を更新する文書処理装置及び文書処理プログラムを提供する。  【解決手段】  仮登録部１５が、文書リポジトリ１４に登録されている正規文書を更新する文書を文書仮登録リポジトリに１６仮登録文書として仮登録し、その後、この仮登録文書を仮登録反映部１８が文書リポジトリ１４に登録されている正規文書に反映するか、仮登録却下部１９が却下するかの処理を行う。【選択図】        図２
2009301190.tif 000002
【特許請求の範囲】
【請求項１】
格納要求に応じて、文書格納手段の第１の格納領域に格納されている第１の電子文書に対応付けて、前記文書格納手段の第２の格納領域に第２の電子文書を格納する格納手段と、
複写要求に応じて、当該複写要求により指定された前記第２の格納領域に格納された第２の電子文書を、当該第２の電子文書に対応付けられた第１の電子文書として、前記第１の格納領域に複写する複写手段と、
前記複写手段によって複写された第２の電子文書を前記第２の格納領域から削除する削除手段と
を具備することを特徴とする文書処理装置。
【請求項２】
格納要求に応じて、文書格納手段の第１の格納領域に格納されている第１の電子文書に対応付けて、前記文書格納手段の第２の格納領域に第２の電子文書を格納する格納ステップ、
複写要求に応じて、当該複写要求により指定された前記第２の格納領域に格納された第２の電子文書を、当該第２の電子文書に対応付けられた第１の電子文書として、前記第１の格納領域に複写する複写ステップ、
前記複写ステップにおいて複写された第２の電子文書を前記第２の格納領域から削除する削除ステップ
をコンピュータに実行させるための文書処理プログラム。
【請求項３】
前記削除ステップにおいて削除された第２の電子文書と、当該第２の電子文書に対する前記複写要求を要求した利用者の識別情報とを、対応付けて削除文書格納手段に格納する削除文書格納ステップ、
前記複写要求を要求した利用者から、当該利用者の識別情報と対応付けられた前記削除文書格納手段に格納された第２の電子文書に対する操作要求を受け付けた場合には、当該操作要求に応じて当該第２の電子文書に対する操作を実行する操作実行ステップ
を前記コンピュータにさらに実行させるための請求項２に記載の文書処理プログラム。
【請求項４】
前記格納ステップは、ひとつの第１の電子文書に対して複数の第２の電子文書を格納し、
前記複写ステップは、前記複写要求により、前記複数の第２の電子文書のうちから指定されたひとつの第２の電子文書を複写元の電子文書とする請求項２に記載の文書処理プログラム。
【請求項５】
前記格納ステップは、ひとつの第１の電子文書に対する複数の第２の電子文書における電子文書間の関係情報を格納し、
前記複数の第２の電子文書に関する情報を出力するステップであって、前記関係情報に基づいて、前記複数の第２の電子文書に関する情報を関連付けて出力する出力ステップを前記コンピュータにさらに実行させるための請求項４に記載の文書処理プログラム。
【発明の詳細な説明】
【技術分野】
【０００１】
本発明は、文書処理装置及び文書処理プログラムに関する。
【背景技術】
【０００２】
文書管理装置等では、文書を登録し、登録した文書を閲覧したり、編集したりできるようにしていることがある。しかしながら、例えば、編集になれていない新人等のユーザが行う編集や、前担当者などの例外的に文書の編集を許可しているユーザが行う編集等については、当該編集結果を直ちに正規文書に反映せず、当該文書の正規の担当者が編集内容を確認した後に当該編集結果が正規文書に反映されることが望まれている。
【０００３】
これに対しては、特定のユーザが編集を行った場合は、個別に設定されている承認者が承認を行わない限り編集が反映されないようにすることで対応可能であるが、この場合には、承認者が承認するまでの間、文書に対する編集の排他制御を行わないと、その間行われた編集が承認の際に上書きされてしまうが、排他制御を行うと、他のユーザが編集を行うことが全くできないため、作業が滞ってしまう場合がある。
【０００４】
なお、セキュリティに関する技術としては、データの更新に承認を要するものが提案されている（例えば、特許文献１参照）。
【特許文献１】特開２０００−２５９４７７号公報
【発明の開示】
【発明が解決しようとする課題】
【０００５】
本発明は、格納した電子文書を更新する場合において、所定の格納領域に格納した複写元の電子文書に対して、更新対象である複写先の電子文書への複写を要求することによって、電子文書を更新する文書処理装置及び文書処理プログラムを提供することを目的とする。
【課題を解決するための手段】
【０００６】
前述した目的を達成するため、請求項１の発明は、格納要求に応じて、文書格納手段の第１の格納領域に格納されている第１の電子文書に対応付けて、前記文書格納手段の第２の格納領域に第２の電子文書を格納する格納手段と、複写要求に応じて、当該複写要求により指定された前記第２の格納領域に格納された第２の電子文書を、当該第２の電子文書に対応付けられた第１の電子文書として、前記第１の格納領域に複写する複写手段と、前記複写手段によって複写された第２の電子文書を前記第２の格納領域から削除する削除手段とを具備することを特徴とする。
【０００７】
また、請求項２の発明は、格納要求に応じて、文書格納手段の第１の格納領域に格納されている第１の電子文書に対応付けて、前記文書格納手段の第２の格納領域に第２の電子文書を格納する格納ステップ、複写要求に応じて、当該複写要求により指定された前記第２の格納領域に格納された第２の電子文書を、当該第２の電子文書に対応付けられた第１の電子文書として、前記第１の格納領域に複写する複写ステップ、前記複写ステップにおいて複写された第２の電子文書を前記第２の格納領域から削除する削除ステップをコンピュータに実行させることを特徴とする。
【０００８】
また、請求項３の発明は、請求項２の発明において、前記削除ステップにおいて削除された第２の電子文書と、当該第２の電子文書に対する前記複写要求を要求した利用者の識別情報とを、対応付けて削除文書格納手段に格納する削除文書格納ステップ、前記複写要求を要求した利用者から、当該利用者の識別情報と対応付けられた前記削除文書格納手段に格納された第２の電子文書に対する操作要求を受け付けた場合には、当該操作要求に応じて当該第２の電子文書に対する操作を実行する操作実行ステップを前記コンピュータにさらに実行させることを特徴とする。
【０００９】
また、請求項４の発明は、請求項２の発明において、前記格納ステップは、ひとつの第１の電子文書に対して複数の第２の電子文書を格納し、前記複写ステップは、前記複写要求により、前記複数の第２の電子文書のうちから指定されたひとつの第２の電子文書を複写元の電子文書とすることを特徴とする。
【００１０】
また、請求項５の発明は、請求項４の発明において、前記格納ステップは、ひとつの第１の電子文書に対する複数の第２の電子文書における電子文書間の関係情報を格納し、前記複数の第２の電子文書に関する情報を出力するステップであって、前記関係情報に基づいて、前記複数の第２の電子文書に関する情報を関連付けて出力する出力ステップを前記コンピュータにさらに実行させることを特徴とする。
【発明の効果】
【００１１】
本発明によれば、格納した文書を更新する場合において、所定の格納領域に格納した複写元の文書に対して、更新対象である複写先の文書への複写を要求することによって、文書を更新することができる。
【発明を実施するための最良の形態】
【００１２】
以下、本発明の一実施の形態に係る文書管理装置、文書管理プログラムについて、添付図面を参照して詳細に説明する。
【実施例】
【００１３】
図１は、文書管理システムの構成例を示した図である。同図に示すように、文書管理システムは、文書管理装置１と複数の情報処理装置２（２−１〜２−ｎ）がネットワーク３を介して接続されている。
【００１４】
文書管理装置１は、文書の登録や更新を受け付け、登録または更新された文書を管理する。情報処理装置２は、文書管理装置１の利用者（文書の登録者や閲覧者、後述する承認者等）等が文書管理装置１を利用するために用いるもので、パーソナルコンピュータ等により構成される。
【００１５】
なお、文書管理装置１が登録や更新を受け付けて管理する文書は、任意の電子情報であり、例えば、契約書、仕様書、図面等を電子化したものや、画像、音声データ、プログラムのソースコードや実行形式のファイル等を含むものである。
【００１６】
次に、文書管理装置１の詳細について説明する。図２は、文書管理装置１の機能的な構成例を示すブロック図である。
【００１７】
同図に示すように、文書管理装置１は、更新部１０と、アクセス権判定部１１、アクセス権リポジトリ１２、仮アクセス権リポジトリ１３、文書リポジトリ１４、仮登録部１５、文書仮登録リポジトリ１６、仮登録確認部１７、仮登録反映部１８、仮登録却下部１９を有している。
【００１８】
更新部１０は、文書の登録や更新の要求があった際に、文書リポジトリ１４への文書の登録や更新を行うほか、その要求の内容に応じて仮登録部１５や仮登録反映部１８、仮登録却下部１９へ処理を移行する。更新部１０による文書の更新は、アクセス権判定部１１により許可と判定されるアクセス権を有する利用者が行った要求に対してのみ実行される。
【００１９】
アクセス権判定部１１は、アクセス権リポジトリ１２に登録されているアクセス権と、仮許可アクセス権リポジトリ１３に登録されている仮許可アクセス権に基づいて、文書の登録・更新要求に対する登録・更新者のアクセスについて、許可、仮許可、不許可のいずれかを判定する。
【００２０】
仮登録部１５は、文書リポジトリ１４に登録されている正規文書の更新が要求された際に、その更新文書を仮登録文書として仮登録リポジトリ１６へ仮登録する。仮登録部１５は、文書リポジトリ１４に登録されている正規文書に対する仮登録文書が仮登録されている際に、この仮登録文書の内容を含めて更新を行うようさらに更新文書を仮登録する連結仮登録部１５−１と、仮登録されている文書に代えて更新を行うよう更新文書を仮登録する並列仮登録部１５−２を有している。例えば、図３に示すようにＩＤが０の正規文書に対して、ＩＤが１から５の仮登録文書が、そのＩＤの順に仮登録されたとすると、ＩＤ＝１の仮登録文書は、正規文書に対して連結仮登録されたもので、ＩＤ＝２の仮登録文書は、ＩＤ＝１の仮登録文書に対して連結仮登録されたもの、ＩＤ＝３の仮登録文書は、正規文書に対して並列仮登録されたもの、ＩＤ＝４の仮登録文書は、ＩＤ＝２の仮登録文書に対して連結仮登録されたもの、ＩＤ＝５の仮登録文書は、ＩＤ＝２の仮登録文書に対して並列仮登録されたものとなる。仮登録部１５による仮登録は、アクセス権判定部１１により許可又は仮許可と判定されるアクセス権を有する利用者が行った要求に対して実行される。
【００２１】
仮登録確認部１７は、文書仮登録リポジトリ１６に仮登録されている仮登録文書の有無や、その構成を確認する。仮登録確認部１７による確認処理は、アクセス権判定部１１により許可又は仮許可と判定されるアクセス権を有する利用者が行った要求に対して実行される。
【００２２】
仮登録反映部１８は、文書仮登録リポジトリ１６に仮登録されている仮登録文書を更新文書として正規文書に反映する。仮登録反映部１８による反映処理は、アクセス権判定部１１により許可と判定されるアクセス権を有する利用者が行った要求に対してのみ実行される。
【００２３】
仮登録却下部１９は、文書仮登録リポジトリ１６に仮登録されている仮登録文書を更新文書とせずに却下する。仮登録文書の却下に際しては、その文書自体は破棄するが、その仮登録文書による更新内容については、文書仮登録リポジトリ１６に残される。仮登録却下部１９による却下処理は、アクセス権判定部１１により許可と判定されるアクセス権を有する利用者が行った要求に対してのみ実行される。
【００２４】
ところで、図２に示した各機能部は、各機能部を実現させるプログラムを、例えば、図４に示すような構成を有するパーソナルコンピュータ等の情報処理装置で動作させることで実現することもできる。
【００２５】
図４は、文書管理装置１をプログラムの動作により実現する場合に、そのプログラムを動作させる情報処理装置の構成例を示すブロック図である。
【００２６】
同図に示すように、文書管理装置１は、演算部１０１と、記憶部１０２、一時記憶部１０３、記憶装置接続部１０４、記憶装置１０５、通信部１０６、入力装置接続部１０７、入力装置１０８、表示装置接続部１０９、表示装置１１０を有している。
【００２７】
演算部１０１は、演算処理を行うもので、例えば、ＣＰＵ（Central Processing Unit）等のプロセッサにより実現されるものである。記憶部１０２は、情報等を記憶するもので、例えば、ＲＯＭ（Read Only Memory）、不揮発性メモリ(Nonvolatile Memory)等のメモリで実現されるものである。一時記憶部１０３は、情報等を一時的に記憶するもので、例えば、ＲＡＭ（Random Access Memory）等のメモリで実現されるものである。記憶装置接続部１０４は、記憶装置１０５を接続するインタフェイスである。記憶装置１０５は、情報や文書等を記憶するもので、例えば、磁気ディスク等で実現されるものである。通信部１０６は、ネットワークとのインタフェイスである。入力装置接続部１０７は、入力装置１０８を接続するインタフェイスである。入力装置１０８は、情報や指示の入力を行うもので、例えば、キーボードやマウス等で実現されるものである。表示装置接続部１０９は、表示装置１１０を接続するインタフェイスである。表示装置１１０は、情報等を表示するもので、例えば、ディスプレイ装置等で実現されるものである。
【００２８】
演算部１０１は、それぞれ、記憶装置１０５または記憶部１０２に記憶されているプログラム等により動作し、これにより、文書管理装置１を実現する。このとき、アクセス権リポジトリ１２、仮許可アクセス権リポジトリ１３、文書リポジトリ１４、文書仮登録リポジトリ１６は、その記憶領域として記憶装置１０５を用い、アクセス権や文書等の登録・更新処理は演算部１０１の動作により行われる。また、更新部１０、アクセス権判定部１１、仮登録部１５、仮登録確認部１７、仮登録反映部１８、仮登録却下部１９が実行する各処理は演算部１０１の動作により行われる。
【００２９】
次に、文書管理装置１の動作について説明する。図５および図６は、文書管理装置１の動作の流れの一例を示すフローチャートである。なお、文書の新規登録や取得等の処理は、従来の文書管理装置と同様に行われるため、ここでの説明は省略する。
【００３０】
文書管理装置１は、更新部１０が文書の更新要求を受けると処理を開始し、まず、アクセス権判定部１１が、アクセス権リポジトリ１２と仮アクセス権リポジトリ１３を参照して更新要求を発した利用者のアクセス権を判定する（ステップ２０１）。アクセス権リポジトリ１２には、例えば、図７（ａ）に示すような各利用者に対してアクセスの可否を示すアクセス権情報が設定されており、仮アクセス権リポジトリ１３には、例えば、図７（ｂ）に示すようなアクセス権リポジトリ１２でアクセスが不許可となっている利用者に対する仮アクセス権の有無を示す仮アクセス権情報が設定されている。アクセス権判定部１１は、両者を参照して、例えば、図７（ｃ）に示すような判定結果を得ることとなる。
【００３１】
アクセス権判定部１１による判定の結果、更新要求を発した利用者がアクセス不能な利用者、つまり、アクセス権と仮アクセス権がともに不許可に設定されている利用者であった場合には（ステップ２０２でＮＯ）、文書管理装置１は、そのまま処理を終了する。
【００３２】
アクセス権判定部１１による判定の結果、更新要求を発した利用者がアクセス可能な利用者、つまり、アクセス権が許可に設定されている利用者又は仮アクセス権が仮許可に設定されている利用者であった場合には（ステップ２０２でＹＥＳ）、それがアクセス権が許可に設定されている利用者であれば（ステップ２０３でＹＥＳ）、仮登録確認部１７が、文書管理登録リポジトリ１６に仮登録されている仮登録文書の有無を確認する（ステップ２０４）。確認の結果、仮登録となっている仮登録文書が無ければ（ステップ２０５でＹＥＳ）、更新部１０は、更新要求にしたがって、文書リポジトリ１４に登録されている正規文書を更新し（ステップ２０６）、処理を終了する。
【００３３】
一方、仮登録確認部１７による確認の結果、仮登録となっている仮登録文書があれば（ステップ２０５でＮＯ）、利用者に対し、仮登録文書を反映するか、却下するか、保留するかを確認する（ステップ２０７）。その結果、利用者が仮登録文書の正規文書への反映を要求すれば（ステップ２０８でＹＥＳ）、後述する仮登録反映処理を行い（ステップ２０９）、更新部１０が、更新要求にしたがって、文書リポジトリ１４に登録されている正規文書を更新し（ステップ２０６）、処理を終了する。
【００３４】
また、利用者が仮登録文書の却下を要求すれば（ステップ２０８でＮＯ、ステップ２１０でＹＥＳ）、後述する仮登録却下処理を行い（ステップ２１１）、更新部１０が、更新要求にしたがって、文書リポジトリ１４に登録されている正規文書を更新し（ステップ２０６）、処理を終了する。
【００３５】
また、利用者が仮登録文書に対する処理の判断の保留を要求すれば（ステップ２０８でＮＯ、ステップ２１０でＮＯ）、更新要求された文書は仮登録文書として仮登録されるため、仮登録部１５は、利用者に仮登録方法を確認する（ステップ２１２）。その結果、利用者が連結仮登録を要求すれば（ステップ２１３でＹＥＳ）、連結仮登録部１５−１が更新要求された文書を仮登録文書として連結仮登録し（ステップ２１４）、処理を終了する。
【００３６】
また、利用者が並列仮登録を要求すれば（ステップ２１３でＮＯ）、並列仮登録部１５−２が更新要求された文書を仮登録文書として並列仮登録し（ステップ２１５）、処理を終了する。
【００３７】
なお、文書を連結仮登録するか並列仮登録するかの判断を利用者に行わせずに、仮登録部１５が更新要求された文書がどの文書に基づいて編集されたかを文書番号等から確認し、その編集前の文書を更新するように連結仮登録するか並列仮登録するかを判断するようにすることもできる。
【００３８】
一方、アクセス権判定部１１による判定の結果、更新要求を発した利用者がアクセス可能な利用者で、それがアクセス権が仮許可に設定されている利用者であれば（ステップ２０２でＹＥＳ、ステップ２０３でＮＯ）、仮登録確認部１７が、文書管理登録リポジトリ１６に仮登録されている仮登録文書の有無を確認する（ステップ２１６）。確認の結果、仮登録となっている仮登録文書が無ければ（ステップ２１７でＮＯ）、並列仮登録部１５−２が更新要求された文書を仮登録文書として並列仮登録し（ステップ２１５）、処理を終了する。
【００３９】
また、仮登録確認部１７による確認の結果、仮登録となっている仮登録文書があれば（ステップ２１７でＹＥＳ）、仮登録部１５は、利用者に仮登録方法を確認する（ステップ２１２）。その結果、利用者が連結仮登録を要求すれば（ステップ２１３でＹＥＳ）、連結仮登録部１５−１が更新要求された文書を仮登録文書として連結仮登録し（ステップ２１４）、処理を終了する。
【００４０】
また、利用者が並列仮登録を要求すれば（ステップ２１３でＮＯ）、並列仮登録部１５−２が更新要求された文書を仮登録文書として並列仮登録し（ステップ２１５）、処理を終了する。
【００４１】
次に、前述のステップ２０９で処理する仮登録反映処理について説明する。図８は、仮登録反映処理の流れの一例を示すフローチャートである。
【００４２】
仮登録反映処理では、まず、対象となる仮登録文書が却下されているか否かを確認する（ステップ３０１）。仮登録文書は、後述するように却下されたか否かを別途管理しているため、これにより確認を行う。対象となる仮登録文書が却下済であれば（ステップ３０２でＮＯ）、そのまま仮登録反映処理を終了する。
【００４３】
対象となる仮登録文書が未却下であれば（ステップ３０２でＹＥＳ）、対象となる仮登録文書が更新しようとする元文書を示す元文書ＩＤを取得する（ステップ３０３）。そして、同じ元文書ＩＤを持つ仮登録文書を取得し（ステップ３０４）、取得した仮登録文書に対して後述する仮登録却下処理を行う（ステップ３０５）。このステップ３０４とステップ３０５の処理は、同じ元文書ＩＤを持つ仮登録文書の全てに対して行われ（ステップ３０６でＮＯ）、その全てに対して処理が終了すると（ステップ３０６でＹＥＳ）、対象となる仮登録文書を取得し（ステップ３０７）、その内容を元文書に反映する（ステップ３０８）。
【００４４】
そして、対象となる仮登録文書を元文書としている仮登録文書の元文書ＩＤを変更し（ステップ３０９）、この処理を対象となる仮登録文書を元文書としている仮登録文書の全てに対して行い（ステップ３１０でＮＯ）、その全てに対して処理が終了すると（ステップ３１０でＹＥＳ）、仮登録反映処理を終了する。
【００４５】
この仮登録反映処理を行うことにより、例えば、図９（ａ）に示すＩＤ＝１の仮登録文書を正規文書として反映すると、図９（ｂ）に示すように、その内容がＩＤ＝０の正規文書に反映され、ＩＤ＝２の仮登録文書の元文書ＩＤが「１」から「０」に変更され、ＩＤ＝３の仮登録文書が却下されることとなる。
【００４６】
次に、前述のステップ２１１およびステップ３０５で処理する仮登録却下処理について説明する。図１０は、仮登録却下処理の流れの一例を示すフローチャートである。
【００４７】
仮登録却下処理では、まず、対象となる仮登録文書を元文書とする仮登録文書の有無を確認する（ステップ４０１）。その結果、対象となる仮登録文書を元文書とする仮登録文書が無ければ（ステップ４０２でＮＯ）、対象文書を却下済に設定し（ステップ４０３）、仮登録却下処理を終了する。
【００４８】
一方、対象となる仮登録文書を元文書とする仮登録文書が有れば（ステップ４０２でＹＥＳ）、その仮登録文書を却下するとともに（ステップ４０４）、再帰処理として、仮登録却下処理（ここで説明している処理）を行い（ステップ４０５）、これらの処理を対象となる仮登録文書を元文書とする仮登録文書の全てに対して行う（ステップ４０６でＮＯ）。その全てに対して処理が終了すると（ステップ４０６でＹＥＳ）、対象文書を却下済に設定し（ステップ４０３）、仮登録却下処理を終了する。
【００４９】
この仮登録却下処理を行うことにより、例えば、図１１（ａ）に示すＩＤ＝１の仮登録文書を却下すると、図１１（ｂ）に示すように、対象文書を元文書とする全ての仮登録文書が却下される。このとき、対象文書と同じ元文書ＩＤ＝０を持つ仮登録文書（ＩＤ＝３）には、何ら影響は無い。
【００５０】
ところで、前述のように、仮登録文書は、却下されたか否かが管理されている。この管理は、例えば、文書仮登録リポジトリ１６に図１２に示すようなテーブルとして管理される。図１２（ａ）は、仮登録文書が図１１（ａ）の状態の場合を示したもので、図１２（ｂ）は、仮登録文書が図１１（ｂ）の状態の場合を示したものである。このように、仮登録文書は、却下済であるか否かと、その仮登録文書がどのような編集がなされたものであるか（コンテント更新や属性更新）が設定されており、これにより、仮登録文書が却下された場合でも、当該仮登録文書がどのような編集がなされたものかを確認することが可能となっている。
【図面の簡単な説明】
【００５１】
【図１】文書管理システムの構成例を示した図である。
【図２】文書管理装置１の機能的な構成例を示すブロック図である。
【図３】仮登録文書の登録方法の例を説明するための図である。
【図４】文書管理装置１をプログラムの動作により実現する場合に、そのプログラムを動作させる情報処理装置の構成例を示すブロック図である。
【図５】文書管理装置１の動作の流れの一例を示すフローチャートである。
【図６】文書管理装置１の動作の流れの一例を示すフローチャートである。
【図７】アクセス権の設定例を示した図である。
【図８】仮登録反映処理の流れの一例を示すフローチャートである。
【図９】仮登録反映処理の実行例を説明するための図である。
【図１０】仮登録却下処理の流れの一例を示すフローチャートである。
【図１１】仮登録却下処理の実行例を説明するための図である。
【図１２】仮登録文書の管理例を示した図である。
【符号の説明】
【００５２】
１    文書管理装置
２、２−１〜２−ｎ    情報処理装置
３    ネットワーク
１０    更新部
１１    アクセス権判定部
１２    アクセス権リポジトリ
１３    仮アクセス権リポジトリ
１４    文書リポジトリ
１５    仮登録部
１６    文書仮登録リポジトリ
１７    仮登録確認部
１８    仮登録反映部
１９    仮登録却下部
１０１    演算部
１０２    記憶部
１０３    一時記憶部
１０４    記憶装置接続部
１０５    記憶装置
１０６    通信部
１０７    入力装置接続部
１０８    入力装置
１０９    表示装置接続部
１１０    表示装置
【図１】
2009301190.tif 000003
【図２】
2009301190.tif 000004
【図３】
2009301190.tif 000005
【図４】
2009301190.tif 000006
【図５】
2009301190.tif 000007
【図６】
2009301190.tif 000008
【図７】
2009301190.tif 000009
【図８】
2009301190.tif 000010
【図９】
2009301190.tif 000011
【図１０】
2009301190.tif 000012
【図１１】
2009301190.tif 000013
【図１２】
2009301190.tif 000014